(57)【要約】【課題】作業者が梯子を保持する必要がなく、それ自体でトラックのアオリ等の被掛止部に掛止して保持させることができ、被掛止部の高さに応じて梯子の高さを調整できる梯子装置を提供する。【解決手段】梯子２の上端部に踏み板３の一端部を連結し、この踏み板３の先端部にはトラックＴのアオリ１２等の被掛止部に掛止される掛止部材５を設け、梯子２は、左右一対の側枠７，７に踏残８を横架してなる梯子本体２ａと、梯子本体２ａの両側枠７，７に伸縮可能に取り付けられ、ロック手段Ｌ１によって所要伸縮位置に固定可能な左右一対の伸縮脚９，９と、両伸縮脚９，９にスライド可能に取り付けられ、ロック手段Ｌ２によって所要スライド位置に固定可能な可動ステップ２ｂと、からなる梯子装置。【選択図】図２
2006299731.tif 000002
【特許請求の範囲】
【請求項１】
梯子の上端部に踏み板の一端部を連結し、この踏み板の先端部に、作業台の天板やトラックのアオリ等の被掛止部に掛止される掛止部材を設けてなる梯子装置であって、梯子は、左右一対の側枠に踏杆を複数段に横架してなる梯子本体と、梯子本体の両側枠に伸縮可能に取り付けられ、第１ロック手段によって所要伸縮位置に固定可能な左右一対の伸縮脚と、両伸縮脚に沿ってスライド可能で、第２ロック手段によって所要スライド位置に固定可能な一つ又は複数の可動ステップとからなり、可動ステップは、両伸縮脚にスライド可能に嵌合される左右一対のスライド枠間に踏杆を連結してなることを特徴とする梯子装置。
【請求項２】
第１ロック手段は、最下段側踏杆の下面の左右両端部側に取付枠を取り付け、両取付枠には、夫々ピン本体部の一端に把手部を略垂直に突設してなる左右一対のロックピンのピン本体部を夫々左右方向移動可能に支持させると共に、両ピン本体部の夫々先端部を梯子本体の両側枠内に突入可能とし、各ロックピンと取付枠との間にはピン本体部の先端部が梯子本体の側枠内に突入するように付勢するバネを介装し、両ロックピンの把手部を把持して最下段側踏杆の中央部へ引き寄せることにより、両ピン本体部の先端部を夫々梯子本体の側枠から引き抜いてロック解除し、両把手部の把持を解放することにより、夫々バネの付勢力で両ピン本体部の先端部を梯子本体の側枠内に突入させると共に、両側枠に嵌挿された伸縮脚の夫々の所要のピン孔に挿通させて、両伸縮脚をロックするようにしたことを特徴とする請求項１に記載の梯子装置。
【請求項３】
第２ロック手段は、可動ステップの踏杆の下面の左右両端部側に取付枠を取り付け、両取付枠には、夫々ピン本体部の一端に把手部を垂直に突設してなる左右一対のロックピンのピン本体部を夫々左右方向移動可能に支持させると共に、両ピン本体部の夫々先端部を可動ステップの両スライド枠内に突入可能とし、各ロックピンと取付枠との間にはピン本体部の先端部がスライド枠内に突入するように付勢するバネを介装し、両ロックピンの把手部を把持して踏杆の中央部側へ引き寄せることにより、両ピン本体部の先端部を夫々可動ステップのスライド枠から引き抜いてロック解除し、両把手部の把持を解放することによって、夫々バネの付勢力で両ピン本体部の先端部をスライド枠内に突入させると共に、両スライド枠に嵌挿された伸縮脚の夫々の所要のピン孔に挿通させて、可動ステップをロックするようにしたことを特徴とする請求項１又は２に記載の梯子装置。
【請求項４】
掛止部材は、踏み板の先端部の左右両側に設けられた左右一対の掛止フックからなるもので、各掛止フックは、踏み板の先端部から先方へ突出する上杆部とこの上杆部の先端から下向きに延設された掛止用杆部とによって略Ｌ字状に形成されていることを特徴とする請求項１〜３の何れかに記載の梯子装置。
【請求項５】
掛止部材は、踏み板の先端部に一体的に設けられ、踏み板と平行に先方へ突出する上板部と、この上板部の先端から下向きに突出する掛止用板部とによってＬ字板状に形成されたものからなることを特徴とする請求項１〜３の何れかに記載の梯子装置。
【請求項６】
前記各掛止フックは、踏み板の先端部からの突出長さを調整できるように踏み板に取り付けられていることを特徴とする請求項４に記載の梯子装置。
【発明の詳細な説明】
【技術分野】
【０００１】
本発明は、トラックへの荷物の積み下ろし時や作業台への昇り降り時などに使用される梯子装置に関するものである。
【背景技術】
【０００２】
従来、トラックに荷物を積み込む際に、トラックの荷台が高い場合や、荷台のアオリを立てたまま積み込み作業を行うような場合には、アオリを倒した荷台に梯子を立て掛け、あるいは立てたままのアオリに普通の作業用梯子を立て掛け、この梯子で昇り降りしながら積み込み作業をしているが、作業用梯子は、荷台の端部やアオリの上端部に立て掛けただけであるため、昇り降り時には梯子が倒れないように作業者の誰かが梯子を保持しなければならず、余分な手間が必要であった。
【発明の開示】
【発明が解決しようとする課題】
【０００３】
本発明は、上記の問題点に鑑み、使用に際して作業者が梯子をいちいち保持する必要がなく、それ自体でトラックのアオリ等の被掛止部に掛止して保持させておくことができると共に、被掛止部の高さに応じて梯子の高さを調整できるようにした梯子装置を提供することを目的とする。
【課題を解決するための手段】
【０００４】
上記課題を解決するための手段を、後述する実施形態の参照符号を付して説明すると、請求項１に係る発明は、梯子２の上端部に踏み板３の一端部を連結金具４を介して折り畳み可能に連結し、この踏み板３の先端部には作業台の天板やトラックＴのアオリ１２等の被掛止部に掛止される掛止部材５を設けてなる梯子装置であって、梯子２は、左右一対の側枠７，７に複数の踏残８を横架してなる梯子本体２ａと、梯子本体２ａの両側枠７，７に伸縮可能に取り付けられ、第１ロック手段Ｌ１によって所要伸縮位置に固定可能な左右一対の伸縮脚９，９と、両伸縮脚９，９に沿ってスライド可能で、第２ロック手段Ｌ２によって所要スライド位置に固定可能な一つ又は複数の可動ステップ２ｂとからなり、可動ステップ２ｂは、両伸縮脚９，９にスライド可能に嵌合される左右一対のスライド枠１３，１３間に踏杆１４を連結してなることを特徴とする。
【０００５】
請求項２は、請求項１に記載の梯子装置において、第１ロック手段Ｌ１は、最下段側踏杆８の下面の左右両端部側に取付枠５１，５１を取り付け、両取付枠５１，５１には、夫々ピン本体部４８の一端に把手部４９を略垂直に突設してなる左右一対のロックピン５０，５０のピン本体部４８，４８を夫々左右方向移動可能に支持させると共に、両ピン本体部４８，４８の夫々先端部４８ａ，４８ａを梯子本体２ａの両側枠７，７内に突入可能とし、各ロックピン５０と取付枠５１との間にはピン本体部４８の先端部４８ａが梯子本体２ａの側枠７内に突入するように付勢するバネＷを介装し、両ロックピン５０，５０の把手部４９，４９を把持して最下段側踏杆８の中央部へ引き寄せることにより、両ピン本体部４８，４８の先端部４８ａ，４８ａを夫々梯子本体２ａの側枠７，７から引き抜いてロック解除し、両把手部４９，４９の把持を解放することにより、夫々バネＷの付勢力で両ピン本体部４８，４８の先端部４８ａ，４８ａを梯子本体２ａの側枠７，７内に突入させると共に、両側枠７，７に嵌挿された伸縮脚９，９の夫々の所要のピン孔９ａ，９ａに挿通させて、両伸縮脚９，９をロックするようにしたことを特徴とする。
【０００６】
請求項３は、請求項１又は２に記載の梯子装置において、第２ロック手段Ｌ２は、可動ステップ２ｂの踏杆１４の下面の左右両端部側に取付枠５１，５１を取り付け、両取付枠５１，５１には、夫々ピン本体部４８の一端に把手部４９を垂直に突設してなる左右一対のロックピン５０，５０のピン本体部４８，４８を夫々左右方向移動可能に支持させると共に、両ピン本体部４８，４８の夫々先端部４８ａ，４８ａを可動ステップ２ｂの両スライド枠１３，１３内に突入可能とし、各ロックピン５０と取付枠５１との間にはピン本体部４８の先端部４８ａがスライド枠１３内に突入するように付勢するバネＷを介装し、両ロックピン５０，５０の把手部４９，４９を把持して踏杆１４の中央部側へ引き寄せることにより、両ピン本体部４８，４８の先端部４８ａ，４８ａを夫々可動ステップ２ｂのスライド枠１３，１３から引き抜いてロック解除し、両把手部４９，４９の把持を解放することによって、夫々バネＷの付勢力で両ピン本体部４８，４８の先端部４８ａ，４８ａをスライド枠１３，１３内に突入させると共に、両スライド枠１３，１３に嵌挿された伸縮脚９，９の夫々の所要のピン孔９ａ，９ａに挿通させて、可動ステップ２ｂをロックするようにしたことを特徴とする。
【０００７】
請求項４は、請求項１〜３の何れかに記載の梯子装置において、掛止部材５は、踏み板３の先端部の左右両側に設けられた左右一対の掛止フック１５，１５からなるもので、各掛止フック１５は、踏み板３の先端部から先方へ突出する上杆部１５ａとこの上杆部１５ａの先端から下向きに延設された掛止用杆部１５ｂとによって略Ｌ字状に形成されていることを特徴とする。
【０００８】
請求項５は、請求項１〜３の何れかに記載の梯子装置において、掛止部材５は、踏み板３の先端部に一体的に設けられ、踏み板３と平行に先方へ突出する上板部５ａと、この上板部５ａの先端から下向き突出する掛止用板部５ｂとによってＬ字板状に形成されたものからなることを特徴とする。
【０００９】
請求項６は、請求項４に記載の梯子装置において、前記各掛止フック１５は、踏み板３の先端部からの突出長さを調整できるように踏み板に取り付けられていることを特徴とする。
【発明の効果】
【００１０】
上記解決手段による発明の効果を、後述する実施形態の参照符号を付して説明すると、請求項１に係る発明によれば、踏み板３が水平に位置する状態で、掛止部材５を例えばトラックのアオリ１２等の被掛止部に掛止させることにより、梯子２は安定に保持された状態となり、従って誰かが保持してやる必要がなく、そのままの状態で昇降することができる。また、この梯子装置では、梯子２の上端部に踏み板３が設けてあるため、例えば梯子２を昇る時には、梯子２を昇り終えたところで、踏み板３の上に両足を置くことができ、トラックの荷台等の上に安全に乗り移ることができ、また梯子２を降りる時も一旦踏み板３に乗ることによって、安全に降りるこができる。
【００１１】
また、この発明によれば、梯子２が、左右一対の側枠７，７に踏残８を横架してなる梯子本体２ａと、両側枠７，７に伸縮可能に取り付けられ、ロック手段Ｌ１によって所要伸縮位置に固定可能な左右一対の伸縮脚９，９と、両伸縮脚９，９にスライド可能に取り付けられ、ロック手段Ｌ２によって所要スライド位置に固定可能な可動ステップ２ｂとから構成されているため、梯子装置１の使用にあたり、例えばトラックのアオリ１２を立てた状態でそのアオリ１２の上端部に掛止部材５を掛止させる場合に地面Ｆからアオリ１２の上端までの高さが相当高くなっても、またその高さがトラックの車種によって夫々異なっても、梯子２の伸縮脚９を伸長させることにより容易に対応できることになる。またそのような場合、可動ステップ２ｂを伸縮脚９，９に沿ってスライドさせることにより、踏杆１４の位置を必要とする任意の位置にセットすることができる。
【００１２】
請求項２に係る発明によれば、第１ロック手段Ｌ１によって、梯子本体２ａの左右両側枠７，７に対し、左右両伸縮脚９，９を同時に所要伸縮位置に固定できるから、伸縮脚９の伸縮調整装置が簡単且つ容易となる。
【００１３】
請求項３に係る発明によれば、第２ロック手段Ｌ２によって、可動ステップ２ｂを左右両伸縮脚９，９に対し所要スライド位置に迅速且つ容易に固定することができる。
【００１４】
請求項４に係る発明によれば、左右一対の掛止フック１５，１５からなるもので、掛止フック１５は、踏み板３の先端部から先方へ突出する上杆部１５ａとこの上杆部１５ａの先端から下向きに延設された掛止用杆部１５ｂとによってＬ字状に形成されたものであるから、製作が簡単容易でコストを安くできる利点がある。
【００１５】
請求項５に係る発明によれば、掛止部材５は、踏み板３と平行に先方へ突出する上板部５ａと、この上板部５ａの先端から下向きに突出する掛止用板部５ｂとによってＬ字板状に形成されているから、トラックＴのアオリ１２等の被掛止部に掛止させた時、掛止部材５とトラックＴの荷台との間に隙間がほとんどできず、使用時に靴等を引っ掛けるようなおそれがなく、使用上の一層の安全を図ることができる。
【００１６】
請求項６に係る発明によれば、各掛止フック１５は踏み板３の先端部からの突出長さを調整できるように踏み板３に取り付けてあるから、被掛止部への掛止具合を適宜に調整できると共に、被掛止部の厚みが相当厚い場合にも的確に掛止できる。
【発明を実施するための最良の形態】
【００１７】
以下に本発明の実施形態について図面を参照しながら説明すると、先ず、図１の(a) は本発明に係る梯子装置１を伸縮脚最小状態で示す側面図、(b) はその平面図、(c) はその正面図であり、(d) は同梯子装置１を収納状態で示す側面図である。図２の(a) は同梯子装置１を伸縮脚最大状態で示す側面図、(b) はその平面図、(c) はその正面図である。図３は図２の(a) の矢印Ａで示す部分を拡大したものである。この梯子装置１は、梯子２の上端部に踏み板３の一端部を連結金具４を介して折り畳み可能に連結し、この踏み板３の先端部には、作業台の天板の端縁やトラックのアオリ等に掛止される掛止部材５を設けてなるもので、梯子２の上端部にはその両側に、踏み板３の上方へ突出する手掛り棒６，６が回転式取付金具１０を介して回転収納可能に取り付けられている。
【００１８】
上記梯子装置１の構造を更に詳細に説明すれば、梯子２は、図１の(c) 及び図２の(c)
から分かるように、互いに平行に配置された左右一対の側枠７，７に複数の踏杆８を横架してなる梯子本体２ａと、この梯子本体２ａの両側枠７，７に伸縮可能に取り付けられ、第１ロック手段Ｌ１によって所要伸縮位置に固定可能な左右一対の伸縮脚９，９と、両伸縮脚９，９に沿ってスライド可能で、第２ロック手段Ｌ２によって所要スライド位置に固定可能な可動ステップ２ｂとからなり、可動ステップ２ｂは、両伸縮脚９，９に外嵌された左右一対のスライド枠１３，１３と、両スライド枠１３，１３間に一体的に連結された踏杆１４とによって形成される。図１及び図２に示す実施形態の梯子装置１では、二つの可動ステップ２ｂを夫々独立してスライド可能に設け、夫々第２ロック手段Ｌ２によって所要スライド位置に固定できるようにしている。
【００１９】
掛止部材５は、図１の(a) ，(b) に示すように、踏み板３の先端部の左右両側に設けられた左右一対の掛止フック１５，１５からなるもので、各掛止フック１５は、踏み板３の先端部から踏み板３と平行に先方へ突出する上杆部１５ａと、この上杆部１５ａの先端から下向き直角に延設された掛止用杆部１５ｂとによりＬ字状に形成されていて、踏み板３の先端部からの突出長さを調整できるように踏み板３の外側面に取り付けられている。
【００２０】
各掛止フック１５の取付構造を図３の(a) 〜(c) によって説明すると、踏み板３の左右各側板部３ａの先端側に、掛止フック１５の上杆部１５ａを固着したスライドブラケット１６を前後方向スライド可能に取り付け、各側板部３ａの先端側には前後２箇所にボルト挿通孔１７を穿設し、スライドブラケット１６にはその前後両端部に長孔１８を形成し、しかしてスライドブラケット１６の長孔１８から踏み板３の側板部３ａの各ボルト挿通孔１７にボルト１９を挿通し、その端部にナット２０を螺合するようにしたもので、ナット２０を緩めてスライドブラケット１６を後方へスライドさせると、図３の(a) に示すように、踏み板３の先端部からの掛止フック１５の突出長さが最短となり、またスライドブラケット１６を後方へスライドさせると、同図の(b) に示すように、掛止フック１５の突出長さが最長となり、しかしてナット２０を締め付けることによって掛止フック１５を夫々最短状態、最長状態に固定することができる。
【００２１】
尚、スライドブラケット１６は、その先端部の上下両端から内向きに突出するガイド片１６ｏ，１６ｏを有し、図３の(c) に示すように両ガイド片１６ｏ，１６ｏが踏み板３の上下両面部を支持案内するようになっている。
【００２２】
図４は掛止部材５の他の実施形態を示すもので、(a) は側面図、(b) は平面図である。この掛止部材５は、踏み板３の先端部に例えば溶接によって一体的に取り付けられ、この踏み板３と同じ幅で踏み板３の先方へ突出する上板部５ａと、この上板部５ａの先端から下向き直角に突出する掛止用板部５ｂとによってＬ字板状に形成されたもので、(a) の仮想線で示すようにトラックのアオリ１２の上端部に掛止されるようになっている。
【００２３】
踏み板３を梯子２に折り畳み可能に連結する連結金具４の構造について図１１によって説明する。尚、図１１は踏み板３を図１の(d) と同様に梯子２と対面するように折り畳んだ状態を示す。踏み板３側に固定される固定側連結板３１の外側に、梯子２側に固定される可動側連結板３２を一部重合させた状態で、これら固定側連結板３１と可動側連結板３２とを枢支軸３０によって回動可能に連結する。固定側連結板３１は、踏み板３の左右各端部にビスａ及びリベットｂで取り付けられるもので、取付部３１ａと取付部３１ｂとからなり、取付部３１ａの下端縁に当たり面３４が形成されると共に、この取付部３１ａの下端縁と取付部３１ｂの下端縁とが合流する部分には枢支軸３０が貫通する略Ｖ字状の枢支用突部３１ｃが形成されている。可動側連結板３２は、梯子２を形成する側枠７の上端部外側面にリベットｂで取り付けられるもので、取付部３２ａと略扇形の連結部３２ｂとからなり、取付部３２ａには、踏み板３の使用状態で固定側連結板３１の当たり面３４が当接してそれ以上の回動を阻止する当たり面３５が設けられ、扇形連結部３２ｂの中心部に枢支軸３０が貫通されている。
【００２４】
固定側連結板３１の取付部３１ａの下部には、枢支軸３０から斜め上方に適当距離をおいた位置にピン穴３６が形成され、このピン穴３６から可動側連結板３２に向けて突出するように付勢されたロックピン３３が踏み板３の一端側に配設され、可動側連結板３２の連結部３２ｂには踏み板３の使用位置と折畳位置とで夫々固定側連結板３１側のピン穴３６と合致してロックピン３３が突入係合する係合穴３７，３８が形成されている。ロックピン３３は、ピン本体３３ａと把手部３３ｂとで略Ｌ字状に形成されて、踏み板３４の一端部下面の両側対称位置に一対配設されたもので、各ロックピン３３のピン本体３３ａを踏み板３４の一端部下面のの凹条部３９に沿うように配置して、ブラインドリベットｂで取り付けたピン受け４０によって回転自在にして且つ軸方向移動自在に支持すると共に、ピン本体３３ａとピン受け４０との間に介装した圧縮コイルバネ４１によって、ピン本体３３ａをこれの先端部３３ｏが固定側連結板３１のピン穴３６から外方へ突出するように付勢している。
【００２５】
図１１のように踏み板３を折り畳んだ状態では、固定側連結板３１のピン穴３６を貫通したロックピン３３が圧縮コイルバネ４１により突出付勢されて可動側連結板３２の係合穴３８に突入係合することにより、踏み板３は折畳位置にロックされている。しかして、使用時に両側のロックピン３３，３３の把手部３３ｂ，３３ｂを掴んで対向方向に引き寄せると、各ロックピン３３が可動側連結板３２の係合穴３８から離脱してロックが解除され、踏み板３は、図１の(a) に示すような使用位置に開かれる。この使用状態になると、固定側連結板３１と可動側連結板３２との当たり面３４，３５が互いに当接すると共に、突出付勢されたロックピン３３の先端部３３ｏが可動側連結板３２の係合穴３７に突入係合して、その使用位置にロックされることになる。この連結金具４は、梯子装置１の使用位置において、図１の(a) に示すように、接地面Ｆと梯子２との被掛止部側に傾斜する傾斜角度θが例えば７５°となるように設定されている。
【００２６】
図１の(a) は手掛り棒６が踏み板３の上方へ突出した使用位置にある状態を示し、同図の(b) はこの使用位置から手掛り棒６を(a) に示す矢印Ｘ方向に回転させることによって側枠７の外側面と重なり合った収納位置にある状態を示している。尚、手掛り棒６は、片方の側枠７にのみ取り付けてもよい。この発明に係る梯子装置１は、図１の(d) に示すように収納位置に折り畳むことによって、収納及び保管にきわめて便利となる。
【００２７】
図５の(a) は図４に示される構造の掛止部材５を備えた梯子装置１の使用状態を示し、(b) は図１及び図２に示される構造の掛止部材５を備えた梯子装置１の使用状態を示す。図５の(a) の場合には、トラックＴのアオリ１２を倒してその基端部１２ａに梯子装置１の掛止部材５を嵌合掛止するようにしている。この場合は、地面Ｆに接地する伸縮脚９，９を適宜伸縮調整して図１の(a) に示すように踏み板３が水平に位置する状態で、掛止部材５を、倒したアオリ１２の基端部１２ａに嵌合掛止することによって、トラックＴ側に傾斜した梯子２は安定に保持された状態となり、従って誰かが保持してやることなく梯子２を昇降することができる。
【００２８】
また、この梯子装置１では、梯子２の上端部に踏み板３があるため、例えば梯子２を昇る時には、梯子２を昇り終えた後、踏み板３の上に両足を置くことができて、トラックＴの荷台上に安全に乗り移ることができ、また梯子２を下りる時も一旦踏み板３に乗ることによって、安全に下りるこができる。そしてまた、梯子２の上端部には踏み板３の上方へ突出する手掛り棒６が取り付けてあるから、踏み板３の上で手掛り棒６に手を掛けることによって、踏み板３から荷台上への乗り移りや、踏み板３から下降をより一層安全に行うことができる。
【００２９】
また、梯子装置１の掛止部材５は、踏み板３と同じ幅で踏み板３の先方へ突出する上板部５ａと、この上板部５ａの先端から下向き突出する掛止用板部５ｂとでＬ字板状に形成されたものであって、アオリ１２の基端部１２ａに掛止させた時、掛止部材５とトラックＴの荷台との間に隙間がほとんどできないため、使用時に靴等を引っ掛けるようなおそれがなく、使用上の一層の安全を図ることができる。
【００３０】
図５の(b) の場合も、倒したアオリ１２の基端部１２ａに掛止部材５を掛止させるわけであるが、この梯子装置１の場合は、掛止部材５が踏み板３先端部の左右両側に設けた左右一対の掛止フック１５，１５からなるため、両掛止フック１５，１５をアオリ１２の基端部１２ａに掛止部材５を掛止させればよい。この梯子装置１１の使用方法は、梯子装置１と全く同様である。
【００３１】
この梯子装置１１では、各掛止フック１５が、踏み板３の先端部からの突出長さを調整できるように踏み板３に取り付けられているから、アオリ１２への掛止具合を適宜に調整できると共に、アオリ１２の厚みが相当厚い場合にも的確に掛止でき、またトラックＴのアオリ１２以外に例えば塀やフェンス等の頂部に掛止させる場合に好適である。また、掛止フック１５が一対の掛止フック１５，１５からなるため、製作が容易でコストを安くできる利点がある。
【００３２】
図示は省略するが、トラックＴのアオリ１２を立てたままアオリ１２の上端部１２ｂに梯子装置１の掛止部材５を掛止させる場合には、地面Ｆからアオリ１２の上端までの高さが可なり高くなるが、梯子２の伸縮脚９を伸長させることによって容易に対応することができる。また伸縮脚９が長くなっても、可動ステップ２ｂを適宜にスライド調整することによって、伸縮脚９での昇り降りが容易となり、梯子２を有効に且つ安全に使用することができる。
【００３３】
図６は図２の(a) の矢印Ｃで示す部分の拡大図、図７の(a) は図２の(c) の矢印Ｄで示す部分の拡大図、(b) は同部分の側面図である。これら図６及び図７更には図８〜図１０を参照しながら、以下に第１ロック手段Ｌ１及び第２ロック手段Ｌ２について説明する。第１ロック手段Ｌ１は、梯子本体２ａの両側枠７，７に伸縮可能に取り付けられた左右一対の伸縮脚９，９を所要伸縮位置に固定するものであり、第２ロック手段Ｌ２は、両伸縮脚９，９にスライド可能に取り付けられた可動ステップ２ｂを所要スライド位置に固定するものである。
【００３４】
梯子本体２ａの両側枠７，７は、夫々角筒状に形成されたもので、各角筒状側枠７にはこれより径小の角筒状に形成された伸縮脚９がスライド可能に嵌挿され、そして各伸縮脚９には、図１０に示すように、その直径方向に貫通するピン孔９ａが長さ方向一定ピッチで設けられている。また、可動ステップ２ｂのスライド枠１３は、図９に示すように、角筒状の伸縮脚９にスライド可能に外嵌し得る角筒状に形成されている。
【００３５】
左右の伸縮脚９，９を梯子本体２ａの両側枠７，７に対し所要伸縮位置でロックする第１ロック手段Ｌ１は、図６に示すように、最下段側踏杆８の下面の左右両端部側に取付枠５１，５１を取り付け、両取付枠５１，５１には、夫々ピン本体部４８の一端に把手部４９を垂直に突設してなる左右一対の横向きＬ字状ロックピン５０，５０のピン本体部４８，４８を夫々左右方向移動可能に支持させると共に、両ピン本体部４８，４８の夫々先端部４８ａ，４８ａを梯子本体２ａの両側枠７，７内に横断方向に突入可能とし、各ロックピン５０と取付枠５１との間には、ピン本体部４８の先端部４８ａが梯子本体２ａの側枠７内に突入するように付勢するコイルバネＷを介装し、しかして両ロックピン５０，５０の両把手部４９，４９を作業者が片手で把持して最下段側踏杆８の中央部側へ引き寄せることにより、両ピン本体部４８，４８の先端部４８ａ，４８ａを夫々梯子本体２ａの側枠７，７から引き抜いてロック解除状態とし、またその手を放して両把手部４９，４９の把持を解放することにより、夫々コイルバネＷの付勢力で両ピン本体部４８，４８の先端部４８ａ，４８ａを梯子本体２ａの側枠７，７内に突入させると共に、両側枠７，７に嵌挿された伸縮脚９，９の夫々の所要のピン孔９ａ，９ａに挿通させて、両伸縮脚９，９をロックするようにしたものである。
【００３６】
また、可動ステップ２ｂを両伸縮脚９，９に対し所要スライド位置にロックする第２ロック手段Ｌ２は、上記の第１ロック手段Ｌ１と同様な構成であって、図７に示すように、可動ステップ２ｂの踏杆１４の下面の左右両端部側に取付枠５１，５１を取り付け、両取付枠５１，５１には、夫々ピン本体部４８の一端に把手部４９を垂直に突設してなる左右一対の横向きＬ字状ロックピン５０，５０のピン本体部４８，４８を夫々左右方向移動可能に支持させると共に、両ピン本体部４８，４８の夫々先端部４８ａ，４８ａを可動ステップ２ｂの両スライド枠１３，１３内に横断方向に突入可能とし、各ロックピン５０と取付枠５１との間には、ピン本体部４８の先端部４８ａが可動ステップ２ｂのスライド枠１３内に突入するように付勢するコイルバネＷを介装し、しかして両ロックピン５０，５０の両把手部４９，４９を作業者が片手で把持して踏杆１４の中央部側へ引き寄せることにより、両ピン本体部４８，４８の先端部４８ａ，４８ａを夫々可動ステップ２ｂのスライド枠１３，１３から引き抜いてロック解除状態として、またその手を放して両把手部４９，４９の把持を解放することにより、夫々コイルバネＷの付勢力で両ピン本体部４８，４８の先端部４８ａ，４８ａを可動ステップ２ｂのスライド枠１３，１３内に突入させると共に、両スライド枠１３，１３に嵌挿された伸縮脚９，９の夫々の所要のピン孔９ａ，９ａに挿通させて、可動ステップ２ｂを伸縮脚９，９上の所要スライド位置にロックするようにしたものである。
【００３７】
図８の(a) は第１ロック手段Ｌ１及び第２ロック手段Ｌ２に夫々使用する取付枠５１，この取付枠５１に支持させたＬ字状のロックピン５０、及びロックピン５０のピン本体部４８に嵌装したコイルバネＷを示す正面図、(b) は平面図、(c) は底面図、(d) はピン本体部４８の先端部４８ａ側から見た端面図である。これらの図面から分かるように、取付枠５１は、基板５１ａと両端部の端板５１ｂ，５１ｂとでコ字枠状に形成されたもので、両端板５１ｂ，５１ｂに夫々ピン挿通孔５５が設けてあって、これらのピン挿通孔５５にロックピン５０のピン本体部４８を挿通して移動可能に支持させ、また基板５１ａには複数のビス挿通孔５３が設けてあって、踏杆８，１４への取付時には、基板５１ａを踏杆８，１４の下面の左右両端部側に夫々当て付け、各ビス挿通孔５３よりビス５４を踏杆８，１４側にねじ込んで固定するようになっている。また、コイルバネＷは、その一端部が、ピン本体部４８の所要箇所に挿通されたストッパーピン５２に支持され、他端部が取付枠５１の片方の端板５１ａに支持されている。
【００３８】
以上説明したように、梯子装置１の梯子２が、左右一対の側枠７，７に複数の踏残８を横架してなる梯子本体２ａと、梯子本体２ａの両側枠７，７に伸縮可能に取り付けられ、ロック手段Ｌ１によって所要伸縮位置に固定可能な左右一対の伸縮脚９，９と、両伸縮脚９，９にスライド可能に取り付けられ、ロック手段Ｌ２によって所要スライド位置に固定可能な一つ又は複数の可動ステップ２ｂとによって構成されることから、この梯子装置１の使用にあたり、例えばトラックのアオリを立てた状態でそのアオリの上端部に掛止部材５を掛止させる場合に地面Ｆからアオリ１２の上端までの高さが相当高くなっても、またその高さがトラックの車種によって夫々異なっても、梯子２の伸縮脚９を伸長させることにより容易に対応できることになる。またそのような場合、可動ステップ２ｂを伸縮脚９，９に沿ってスライドさせることにより、踏杆１４の位置を任意の位置にセットできる。つまり、伸縮脚９，９にステップ（踏杆）が固定的に取り付けられていると、梯子本体２ａの両側枠７，７下端から延びた伸縮脚９，９の長さが長くなった時に、そのステップと両側枠７，７下端との間隔が長くなって、乗り降りがし難くなるが、可動ステップ２ｂをスライド調整することにより、乗り降りがし易い位置に任意に固定することができる。
【００３９】
また、この場合、伸縮脚９，９に複数の可動ステップ２ｂを取り付けるようにすれば、伸縮脚９，９の長さが長い場合でも、複数の踏杆１４が取り付けられることになるから、伸縮脚９，９をより有効に且つ安全に使用できる。
【００４０】
また、この梯子装置１においては、左右の伸縮脚９，９を梯子本体２ａの両側枠７，７に所要伸縮位置でロックするロック手段として、上述のような構成の第１ロック手段Ｌ１を採用したことにより、梯子本体２ａの左右両側枠７，７に対し、左右両伸縮脚９，９を同時に所要伸縮位置に固定できるから、伸縮脚９の伸縮調整装置が簡単且つ容易となる。また、可動ステップ２ｂを両伸縮脚９，９に対し所要スライド位置にロックするロックする手段として、上述したような第２ロック手段Ｌ２を採用したことにより、可動ステップ２ｂを左右両伸縮脚９，９に対し所要スライド位置に迅速且つ容易に固定することができる。
【図面の簡単な説明】
【００４１】
【図１】(a) は本発明に係る梯子装置を伸縮脚最小状態で示す側面図、(b) はその平面図、(c) はその正面図、(d) は同梯子装置１を収納状態で示す側面図である。
【図２】(a) は同梯子装置を伸縮脚最大状態で示す側面図、(b) はその平面図、(c)はその正面図である。
【図３】(a) は図２の(a) の矢印Ａで示す部分の拡大図で、掛止部材の突出長さが最短の場合を示し、(b) はその突出長さが最長の場合を示し、(c) は(a) のＢ−Ｂ線断面図である。
【図４】(a) は他の形態の梯子装置の側面図、(b) は平面図である。
【図５】(a) は図４に示す梯子装置の使用状態の斜視図、(b) は図１及び図２に示す梯子装置の使用状態の斜視図である。
【図６】図２の(a) の矢印Ｃで示す部分の拡大図である。
【図７】(a) は図２の(c) の矢印Ｄで示す部分の拡大図、(b) は同部分の側面図である。
【図８】(a) は第１ロック手段及び第２ロック手段に使用する取付枠，この取付枠に支持させたロックピン、及びこのロックピンのピン本体部に嵌装したコイルバネを示す正面図、(b) は平面図、(c) は底面図、(d) はピン本体部の先端部側から見た端面図である。
【図９】(a) は可動ステップの正面図、(b) は側面図、(c) は底面図である。
【図１０】(a) は伸縮脚の拡大正面図、(b) は側面図、(c) は平面図である。
【図１１】連設金具の構造を示す斜視図である。
【符号の説明】
【００４２】
１              梯子装置
２              梯子
２ａ            梯子本体
２ｂ            可動ステップ
３              踏み板
４              連結金具
５              掛止部材
５ａ            上板部
５ｂ            掛止用板部
７              側枠
９              伸縮脚
９ａ            ピン孔
Ｌ１            ロック手段
Ｌ２            ロック手段
１２            アオリ（被掛止部）
１５            掛止フック
１５ａ          上杆部
１５ｂ          掛止用杆部
４８            ピン本体部
４９            把手部
５０            ロックピン
Ｗ              コイルバネ
【図１】
2006299731.tif 000003
【図２】
2006299731.tif 000004
【図３】
2006299731.tif 000005
【図４】
2006299731.tif 000006
【図５】
2006299731.tif 000007
【図６】
2006299731.tif 000008
【図７】
2006299731.tif 000009
【図８】
2006299731.tif 000010
【図９】
2006299731.tif 000011
【図１０】
2006299731.tif 000012
【図１１】
2006299731.tif 000013